(57)【要約】 【課題】中央に長孔を備えると共に長孔縁に刃を形成し、両端に軸部１３を設けた刃体１を、把手部の先方に設けた二股の保持部３間に、各保持部に設けた装着孔３１へ前記軸部を取り付けて架設し、装着孔３１に開口部３２を設け、開口部を開閉する開閉部材４の採用で刃体１の着脱を行なう皮剥き器において、開閉構造を簡単にして、器具製造の低廉化並びに操作性の向上を図る。【解決手段】金属線材をＵ状に折曲すると共に基端を対向線材側に長さをずらして折曲して形成した開閉部材４を、前記開口部３２箇所から軸部１３の抜け止めとなる位置と、外方移動可能な位置の双方で安定するように、前記基端部４３を保持部３に軸装してなる。【選択図】図３
0003129002.tif 000002
【実用新案登録請求の範囲】
【請求項１】
中央に長孔を備えると共に長孔縁に刃を形成し、両端に軸部を設けた刃体を、把手部の先方に設けた二股の保持部間に、各保持部に設けた装着孔へ前記軸部を取り付けて架設してなる皮剥き器において、一方の保持部の装着孔に刃体軸部の保持部外移動を可能とした開口部を設け、金属線材をＵ状に折曲すると共に基端を対向線材側に長さをずらして折曲して形成した開閉部材を、前記開口箇所から軸部の抜け止めとなる位置と、外方移動可能な位置の双方で安定するように、前記基端部を保持部に軸装してなることを特徴とする皮剥き器。
【請求項２】
開口部を保持部上端方向に形成し、開閉部材の先部をＬ状に屈曲して、前記Ｌ状先部が保持部上方部分を挟む位置を軸部抜け止め位置とし、保持部における装着孔の基部方向に、開閉部材の基端部を、ずれた長さより広い間隔で折曲形状から変形させ軸装してなる請求項１記載の皮剥き器。
【考案の詳細な説明】
【技術分野】
【０００１】
本考案は、刃体の着脱構造に特徴を有する皮剥き器に関するものである。
【背景技術】
【０００２】
一般にピーラーと称される皮剥き器は、中央に長孔を備えると共に、長孔縁に刃を形成し、両端に軸部を設けた刃体を、把手部の先方に設けた二股の保持部間に架設してなるものである。特に前記の保持部間への刃体の装着は、保持部をそれ自体の弾性力を利用し、保持部間距離を拡げて保持部の対向面に設けた装着孔に刃体の軸部を挿着しているものである。
【０００３】
前記の刃体装着手段は、刃を備えている刃体を手に持っての作業となり非常に危険である。特に器具の製造時においては人の手によらず機械的に処理することも可能であるが、刃体の磨耗による刃体の取替えや、異なる切削のために形式の異なる刃体（例えば、長孔に対して直交する縦刃を備えた千切刃体等）への変更装着においては、手作業で行なうため、非常に危険であった。
【０００４】
そのため従前においては、安全に刃体の着脱ができる器具が提案されている。例えば特許文献１（特開２００５−３４４６８号公報）には、刃体の一方の装着孔を板状保持部の一側端面に開口させ、当該開口箇所から刃体軸部の着脱を自在とし、更に前記の板状保持部に前記開口箇所を開閉する開閉部材をスライド構造で組み込んでいるものである。
【０００５】
また特許文献２（登録実用新案３０５３３８１号公報）には、把手部及び保持部からなる本体を金属板で形成し、把手部と保持部の間に首部を設け、当該首部の挟圧保持及び開放によって保持部の対向間隔の広狭動作を行って刃体の着脱を実現しているものである。
【０００６】
【特許文献１】特開２００５−３４４６８号公報。
【特許文献２】登録実用新案３０５３３８１号公報。
【考案の開示】
【考案が解決しようとする課題】
【０００７】
特許文献２記載の器具は、把手部と保持部の構成が限定され、樹脂製の把手部を備えたり、樹脂製の保持部の採用が出来なく、一定の制約を受けてしまう。
【０００８】
また特許文献１記載の器具は、装着孔の開口箇所の開閉にスライド構造を採用しており、保持部に添って開閉部材がスライド移動可能な構造は、同文献記載のように保持部全体を包む構造か、或いは保持部に開閉部材が分離しないようなガイドレール部を設けるなど手段を採用しなければならず、構造が複雑である。
【０００９】
また前記開閉部材を常時閉塞方向に付勢しておく必要があり、刃体の取替え作業時に開放状態を維持しなければならず、特許文献１の器具においては維持構造が付加されておらず、開放状態を手で維持して刃体の取替え作業を行わなければならない不便さがある。
【００１０】
そこで本考案は、刃体の装着孔の開口箇所の開閉構造を簡単にして、器具製造の低廉化並びに操作性の向上を図った新規な皮剥き器を提案したものである。
【課題を解決するための手段】
【００１１】
本考案に係る皮剥き器は、中央に長孔を備えると共に長孔縁に刃を形成し、両端に軸部を設けた刃体を、把手部の先方に設けた二股の保持部間に、各保持部に設けた装着孔へ前記軸部を取り付けて架設してなる皮剥き器において、一方の保持部の装着孔に刃体軸部の保持部外移動を可能とした開口部を設け、金属線材をＵ状に折曲すると共に基端を対向線材側に長さをずらして折曲して形成した開閉部材を、前記開口箇所から軸部の抜け止めとなる位置と、外方移動可能な位置の双方で安定するように、前記基端部を保持部に軸装してなることを特徴とするものである。
【００１２】
而して開閉部材を、開口部を開放する位置で安定させると、簡単に刃体の着脱を行うことができ、刃体を装着した後に開閉部材を抜け止め位置に戻すと、刃体が保持部間に架設され、使用可能状態となるものである。
【００１３】
又特に前記皮剥き器において、開口部を保持部上端方向に形成し、開閉部材の先部をＬ状に屈曲して、前記Ｌ状先部が保持部上方部分を挟む位置を軸部抜け止め位置とし、保持部における装着孔の基部方向に、開閉部材の基端部を、ずれた長さより広い間隔で折曲形状から変形させ軸装してなることを特徴とするものである。
【００１４】
而して開閉部材は、基端のずれた長さによって所定位置（安定位置）からの離脱に対しては反発力が生ずるので、抜け止め位置で安定し、更に基端部の変形軸装が解消される開閉部材の回動位置で安定し、当該位置が開口部を開放する位置であり、当該状態で刃体の着脱が可能となる。しかも使用時に際してはＬ状先部が保持部先端の両側に位置することになり、保持部の先部が嵩張ることが無く操作性に問題が生じない。
【考案の効果】
【００１５】
本考案の構成は上記の通りで、金属線材を折曲して形成した開閉部材を採用するという簡単な構造で、刃体の着脱が実現すると共に、刃体着脱作業を容易に行なうことができたものである。
【考案を実施するための最良の形態】
【００１６】
次に本考案の実施の形態について説明する。実施形態に示した皮剥き器は、基本的に従前の器具と同様に、刃体１と、把手部２及び保持部３を備えた本体で構成され、特に保持部３に開閉部材４を備えた刃体着脱構造を付加したものである。
【００１７】
刃体１は、中央に長孔１１を備えると共に長孔縁に刃（横刃）１２を形成し、両端に軸部１３を設けた周知のものであり、また長孔１１に細かい間隔で縦刃を備えて千切り用刃体の採用等、両端に軸部１３を備えているものであれば、任意に適用されるものである。
【００１８】
本体は把手部２及び保持部３で構成されるもので、実施形態は、１枚の金属細板を折曲して、把手部２の先方に二股の保持部３を備えた形状に形成したものである。勿論把手部２及び保持部３は、各別に形成しても良いし、樹脂製であっても良い。
【００１９】
本考案は、刃体着脱構造に特徴を有するもので、保持部３に設けた装着孔３１へ前記刃体１の軸部１３を取り付け、対向する保持部３間に刃体１を架設するものであるが、特に一方の保持部３の装着孔３１に、刃体１の軸部１３が保持部３外への脱出移動が可能となるように、装着孔３１と連続する開口部３２を保持部３の上端方向へ形成する。
【００２０】
開閉部材４は、金属線材をＵ状に折曲したもので、先部をＬ状に屈曲してＬ状先部４１を形成し、前記屈曲箇所の基端側の脚部４２は、その長さをずらし、更に対向線材側に折曲して基端部４３を設けたものである。
【００２１】
前記開閉部材４は、Ｌ状先部４１が開口部３２からの軸部１３が抜け出るのを防止する位置、即ちＬ状先部が保持部上方部分を挟む場所に位置するように基端部４３を、保持部３における装着孔３１の基部方向に設けた差込孔３３に回動自在に軸装したもので、脚部４２の長さずれによって、Ｌ状先部４１が前記位置より離脱すると、反発力が生じて復帰するようにし、更に差込孔３３の位置を、前記脚部４２の長さずれよりもずらして、基端部４３が変形して差し込まれる位置に形成し、開閉部材４を大きく移動させて前記の変形が最小となる位置で開閉部材４が安定するように設けたものである。
【００２２】
尚また図５に示したように、刃体１の側方適宜箇所を突出部１４とし、保持部３に突起３４を形成し、前記突出部１４が突起３４に衝突することで、刃体１の自由回転を阻止する構造としているものである。
【００２３】
而して開閉部材４は、Ｌ状先部４１が保持部上方部分を挟む位置で安定し、当該位置から開閉部材４を基端部４３の変形が最小となる位置まで回動すると、当該位置で開閉部材が安定し、装着孔３１の開口部３２が開放状態となるので、刃体１の着脱が自由になされる。
【００２４】
所望の刃体１の各軸部１３を装着孔３１に装着した後、開閉部材４を、元の状態に戻すと、軸部１３の抜け止め位置で開閉部材４が安定し、刃体装着器具として皮剥き等の作業に使用できるものである。
【図面の簡単な説明】
【００２５】
【図１】本考案の実施形態の全体斜視図。
【図２】同開閉部材の動作の説明図（側面図）。
【図３】同開閉部材の動作の説明図（斜視図）。
【図４】同開閉部材の動作の説明図（断面図）。
【図５】同刃体自由回転阻止構造の説明図。
【符号の説明】
【００２６】
１          刃体
１１        長孔
１２        刃
１３        軸部
１４        突出部
２          把手部
３          保持部
３１        装着孔
３２        開口部
３３        差込孔
３４        突起
４          開閉部材
４１        Ｌ状先部
４２        脚部
４３        基端部
【図１】
0003129002.tif 000003
【図２】
0003129002.tif 000004
【図３】
0003129002.tif 000005
【図４】
0003129002.tif 000006
【図５】
0003129002.tif 000007